(57)【要約】【課題】記録装置と接続されるさまざまな外部機器から送信される記録データを印刷出力する際に、送信元の外部機器に適した記録媒体を選択することが可能な記録装置を提供する。【解決手段】画像データを蓄積するための記憶手段、画像を記録出力するための記録手段、記録媒体を載置するための複数個の給紙口、ファクシミリ通信を行うためのファクシミリ通信手段、外部通信機器と接続し相互通信を行うためのインターフェース手段、画像データ送信元機器を判別するための画像データ送信元機器種別判別手段、画像データ送信元機器と記録媒体を給紙する給紙口を対応づけるための画像データ送信元機器種別−給紙口対応情報記憶手段から構成される。【選択図】        図１
2006137017.tif 000002
【特許請求の範囲】
【請求項１】
画像データを蓄積するための記憶手段と、画像データに基づいて画像を記録媒体に記録出力するための記録手段と、前記記録媒体を載置するための給紙口を複数個有し、電話回線を介してファクシミリ通信を行うためのファクシミリ通信手段と、外部通信機器と接続し、相互通信を行うためのインターフェース手段と、画像データが、ファクシミリ及び外部通信機器のうちいずれの機器から送信されてきたのかを判別するための画像データ送信元機器種別判別手段と、前記画像データ送信元機器種別判別手段により判別された画像データ送信元機器種別といずれの給紙口から記録媒体を給紙するかを対応づけておくための画像データ送信元機器種別−給紙口対応情報記憶手段とを備える記録装置において、画像データに基づいて画像を記録媒体に記録出力する時に、前記画像データ送信元機器種別−給紙口対応情報記憶手段に記憶されている情報に基づいて給紙口を選択し、記録媒体を給紙する給紙口選択手段を有することを特徴とする記録装置。
【請求項２】
請求項１に記載の記録装置において、前記記録装置の各種設定を行うための操作手段と、前記記録装置の各種設定を記憶するための装置設定記憶手段と、複数の給紙口を有し、画像データに基づいて画像を記録媒体に記録出力する時に、前記操作手段により記録媒体を給紙する給紙口を手動で選択する機能を有する時、前記画像データ送信元機器種別−給紙口対応情報に基づいて自動で給紙口選択を行うか、または前記操作手段により手動で給紙口選択を行うのかを決定する、自動／手動給紙口選択決定情報を前記装置設定記憶手段に持たせることを特徴とする記録装置。
【発明の詳細な説明】
【技術分野】
【０００１】
本発明はファクシミリ通信手段、ＵＳＢインターフェース手段等を有し、外部通信機器と接続・通信し、受信した画像データに基づいて画像を記録出力する記録装置に関するものである。
【背景技術】
【０００２】
近年、一つの記録装置において、さまざまな画像の記録出力を行うことを可能にするため、複数種類の外部通信機器と接続・通信することを可能とし、前記外部通信機器から受信した画像データに基づいて、画像を記録出力する記録装置が存在してきている。前記記録装置は、例えば、ファクシミリ通信手段を有し、電話回線を介して相手ファクシミリ装置から受信した画像データ、ＰＣインターフェース手段を有し、ホストコンピュータから受信した画像データ、デジタルカメラインターフェース手段を有し、デジタルカメラから受信した画像データに基づいて、画像を記録出力することが可能となっている。
【０００３】
また、さまざまな画像の記録出力を行うことが可能になることで、記録装置が記録出力するために使用する記録媒体の枚数は多くなる。そこで、記録装置に一度に載置する記録媒体の枚数を出来るだけ多くするため、一つの記録装置において、複数個の給紙口を持たせるものが存在してきている。
【０００４】
前記複数個の給紙口を有する記録装置においては、画像の記録出力に使用したい記録媒体が載置されている給紙口をユーザに選択させるために、給紙口選択手段を持たせたりするものがある。また、特許文献１には、予めプリントジョブとそのプリントジョブで使用したい記録媒体のサイズ及び種別情報を対応づけておき、各給紙口に現在載置されている記録媒体のサイズ及び種別情報に基づいて、画像の記録出力時に、装置が自動で給紙口を選択するものも存在する。
【特許文献１】特開２００１−２２８７５４号公報
【発明の開示】
【発明が解決しようとする課題】
【０００５】
前記記録装置において、複数種類の外部通信機器から受信した各画像データに基づいて、画像を記録出力するに際し、記録出力に使用したい記録媒体は異なってくる。例えば、ファクシミリ通信により受信した画像は、高画質な記録出力が求められることが少ないため、普通紙が使われることが多い。逆に、デジタルカメラから受信した画像は、一般に「写真画質」と呼ばれる高画質な記録出力が求められることが多いため、光沢紙等の高品位紙が使われることが多い。
【０００６】
前記のように、画像の記録出力に使用したい記録媒体が異なってくるような複数種類の画像の基となる画像データを扱う記録装置において、記録媒体を載置する給紙口を１個しか持っていない場合、ユーザは画像の記録出力に使用したい記録媒体を、記録出力する画像の基となる画像種別に応じて載置し直さなければならなかった。
【０００７】
また、ファクシミリ受信画像は、ユーザからの記録出力要求がなくても、装置が自動で画像を記録出力する機能を有しており、その時に載置されている記録媒体がユーザの望まないものであった場合、無駄に記録媒体を使用してしまい、ユーザに不快な思いをさせていた。
【０００８】
また、複数個の給紙口を有する記録装置を使用するにあたり、ユーザは予め、各給紙口に記録媒体を載置しておき、使用したい記録媒体が載置されている給紙口を前記給紙口選択手段により選択後、画像の記録出力要求を行い、画像を記録出力する。
【０００９】
前記した複数個の給紙口を有する記録装置では、前記した１個しか給紙口を持たない記録装置の欠点を補っているが、ユーザが画像の記録出力要求前に、使用したい記録媒体が載置されている給紙口を選択し忘れた場合、また、ファクシミリ受信画像の自動記録出力時に使用したい記録媒体が載置されている給紙口が選択されていなかった場合、やはり、ユーザの望まない記録媒体を使用して、ユーザに不快な思いをさせていた。
【００１０】
前記した記録装置の欠点を補うために、前述の特許文献１の技術を用いるためには、各給紙口に現在載置されている記録媒体のサイズ及び種別情報を装置で知っておく必要があるが、給紙口に載置する記録媒体が限定される等の理由で、給紙口に記録媒体サイズ及び種別検知手段がない、給紙口載置記録媒体サイズ及び種別情報記憶手段がない記録装置においては、前記の技術を用いることができない。
【００１１】
本発明は、以上の点に着目して成されたもので、記録装置と接続されるさまざまな外部機器から送信される記録データを印刷出力する際に、送信元の外部機器に適した記録媒体を選択することが可能な記録装置を提供することを目的とする。
【課題を解決するための手段】
【００１２】
そこで本発明では前記した課題を解決するために、画像データを蓄積するための記憶手段と、画像データに基づいて画像を記録媒体に記録出力するための記録手段と、前記記録媒体を載置するための給紙口を複数個有し、電話回線を介してファクシミリ通信を行うためのファクシミリ通信手段と、外部通信機器と接続し、相互通信を行うためのインターフェース手段と、画像を記録出力するための画像データが、ファクシミリ及び外部通信機器のうち、いずれの機器から送信されてきたのかを判別するための画像データ送信元機器種別判別手段と、前記画像データ送信元機器種別判別手段により判別された画像データ送信元機器種別といずれの給紙口から記録媒体を給紙するかを対応づけておくための画像データ送信元機器種別−給紙口対応情報記憶手段とを備える記録装置において、画像データに基づいて画像を記録媒体に記録出力する時に、前記画像データ送信元機器種別−給紙口対応情報記憶手段に記憶されている情報に基づいて給紙口を選択し、記録媒体を給紙することを特徴とする記録装置を提供しようというものである。
【００１３】
また、本発明は記録装置の各種設定を行うための操作手段と、前記記録装置の各種設定を記憶するための装置設定記憶手段と、複数の給紙口を有し、画像データに基づいて画像を記録媒体に記録出力する時に、前記操作手段により記録媒体を給紙する給紙口を手動で選択する機能を有する時、前記画像データ送信元機器種別−給紙口対応情報に基づいて自動で給紙口選択を行うか、または前記操作手段により手動で給紙口選択を行うのかを決定する、自動／手動給紙口選択決定情報を前記装置設定記憶手段に持たせることを特徴とする。
【発明の効果】
【００１４】
本発明の記録装置によれば、複数個の給紙口を有し、複数種類の外部通信機器から受信した各画像データに基づいて、画像を記録出力するに際し、画像データを送信してきた外部通信機器と画像の記録出力を行う記録媒体が載置されている給紙口をユーザの指示により予め対応づけておくことにより、さまざまな画像の記録出力に応じて、それに適した記録媒体を使用することが保証できるため、ユーザの望まない記録媒体を使用した画像の記録出力が行われなくなり、ユーザが快適に記録装置を利用することが可能となる。さらに、画像の記録出力時に、前記記録出力に使用したい記録媒体の違いにより、手動で給紙口選択を行う手間を省くことができ、記録装置の利用にあたり、快適性を高めることが可能となる。
【発明を実施するための最良の形態】
【００１５】
以下、本発明実施のための形態について図面を参照して説明する。
【実施例】
【００１６】
（第１の実施の形態）
本発明の記録装置の第１の実施形態について説明する。
【００１７】
図１は本発明に係わる記録装置におけるハードブロック図である。
【００１８】
１００はＣＰＵであり、各種プログラムに従って記録装置を制御するものである。１０１はＮＣＵやモデムで構成されるファクシミリ通信手段であり、電話回線を介してファクシミリ装置と通信を行い、画像データの送受信を行うためのものである。
【００１９】
１０２はＰＣインターフェース手段であり、ＵＳＢケーブルを介してホストコンピュータと通信を行い、画像データをはじめとする種々のデータを送受信するためのものである。１０３はデジタルカメラインターフェース手段であり、ＰＣインターフェース手段と同様にＵＳＢケーブルを介してデジタルカメラと通信を行い、画像データを受信するもの
である。なお、ＰＣインターフェース手段１０２とデジタルカメラインターフェース手段１０３は同一の通信プロトコルを使用してハードウエア制御を行うため、同時に動作させることが出来ないこととなっている。
【００２０】
１０４はＲＯＭであり、記録装置の各種制御プログラムが格納されており、画像データ送信元機器種別判別手段はＲＯＭ内に制御プログラムとして格納されている。１０５はＲＡＭであり、ＲＯＭ内の各種制御プログラムの読み出し、ファクシミリ装置や外部通信機器から受信した画像データの蓄積、装置の各種設定情報の蓄積、画像データ送信元機器種別−給紙口対応情報の蓄積を行うための記憶手段である。
【００２１】
１０６は操作手段であり、装置の各種設定情報の変更、手動で給紙口選択を切り替える際にも使用するものである。１０７は表示手段であり、装置の各種状態を通知するためのものである。１０８及び１０９は記録媒体を載置するための給紙口であり、本発明における記録装置の一例として、給紙口を２個持たせている。給紙口は不図示の給紙口選択手段により送信元の機器に応じて選択され給紙などが実行される。給紙口選択手段は、前述の画像データ送信元機器種別−給紙口対応情報に基づきＣＰＵの制御下にある。１１０は記録手段であり、ファクシミリ装置や外部通信機器から受信した画像データやコピー機能等によりで装置内で生成された画像データに基づいて、記録媒体に画像を記録出力するためのものである。１１１はバスであり、ＣＰＵをはじめとする各種ハードウエアを相互に接続するものである。
【００２２】
図２は本発明に係わる記録装置における画像データ送信元機器種別−給紙口対応情報記憶手段での画像データ送信元機器種別−給紙口対応情報の記憶方法の一例である。
【００２３】
前記記録装置に対し、画像データを送信してくる機器としては、ファクシミリ、ホストコンピュータ、デジタルカメラの３種類がある。前記３種類の画像データ送信元機器それぞれに対して、記録装置に持たせている２つの給紙口のいずれを使用して記録媒体を給紙するのかを操作手段により選択し、その選択結果情報を前記画像データ送信元機器種別−給紙口対応情報記憶手段に記憶する。図２の一例は、ファクシミリから送信されてきた画像データに基づいて記録媒体に記録出力する際には給紙口１を、ホストコンピュータ及びデジタルカメラから送信されてきた画像データに基づいて記録媒体に記録出力する際には給紙口２をそれぞれ使用することを示している。
【００２４】
図３は本発明に係わる記録装置におけるフローチャートその１である。
【００２５】
はじめに、ファクシミリ通信手段１０１によるファクシミリ受信が終了したかをチェックする（ステップＳ３０１）。なお、ステップＳ３０１の前にファクシミリ通信手段１０１が使用中であるかをチェックしていないのは、ファクシミリ通信手段１０１が使用中であっても、ＰＣインターフェース手段１０２及びデジタルカメラ通信手段１０３が同時に使用可能であるためである。ステップＳ３０１において、ファクシミリ受信が終了していないならば、図４のステップＳ４０１に進む。
【００２６】
しかし、ファクシミリ受信が終了したならば、次に、前記ファクシミリ受信が正常終了であったかをチェックする（ステップＳ３０２）。ここで、ファクシミリ受信が正常終了でなかったならば、次に、ＲＡＭ１０５内に記憶されている装置設定情報が、ファクシミリ受信エラー時にレポート記録出力を行う設定になっているかをチェックする（ステップＳ３０３）。ここで、ファクシミリ受信エラー時にレポート記録出力を行う設定でないならば、図４のステップＳ４０１に進む。しかし、ファクシミリ受信エラー時にレポート記録出力を行う設定である場合、及びステップＳ３０２において、ファクシミリ受信が正常終了であった場合には、記録出力を行う画像の基となる画像データの送信元機器はファクシミリと決定され（ステップＳ３０４）、次に、図４のステップＳ４０７に進む。
【００２７】
図４は図３に続く本発明に係わる記録装置におけるフローチャートその２である。
【００２８】
まず、ＰＣインターフェース手段１０２が使用中であるかをチェックする（ステップＳ４０１）。ここで、ＰＣインターフェース手段１０２が使用中であるならば、次に、ホストコンピュータからのプリントデータの受信が終了したかをチェックする（ステップＳ４０２）。ここで、プリントデータの受信が終了していないならば、図３のステップＳ３０１に戻り、ファクシミリ受信の終了チェックを行う。しかし、プリントデータの受信が終了したならば、記録出力を行う画像の基となる画像データの送信元機器はホストコンピュータと決定され（ステップＳ４０３）、次に、ステップＳ４０７に進む。
【００２９】
ステップＳ４０１において、ＰＣインターフェース手段１０２が使用中でないならば、次に、デジタルカメラインターフェース手段１０３が使用中であるかをチェックする（ステップＳ４０４）。ここで、デジタルカメラインターフェース手段１０３が使用中であるならば、次に、デジタルカメラからのプリントデータの受信が終了したかをチェックする（ステップＳ４０５）。ここで、デジタルカメラからのプリントデータの受信が終了したならば、記録出力を行う画像の基となる画像データの送信元機器はデジタルカメラと決定され（ステップＳ４０６）、次に、ステップＳ４０７に進む。しかし、ステップＳ４０４において、デジタルカメラインターフェース手段１０３が使用中でない場合、及びＳ４０５において、デジタルカメラからのプリントデータの受信が終了していない場合には、図３のステップＳ３０１に戻り、ファクシミリ受信の終了チェックを行う。
【００３０】
記録出力を行う画像の基となる画像データの送信元機器が決定した後、ステップＳ４０７において、ＲＡＭ１０５内に記憶されている図２に示してある画像データ送信元機器種別−給紙口対応情報に基づいて、記録媒体を給紙するために使用する給紙口を選択する。ここで、画像データ送信元機器に対応づけられた給紙口が給紙口１ならば、ステップＳ４０８に進み、記録媒体を給紙口１から給紙し、画像データ送信元機器に対応づけられた給紙口が給紙口２ならば、ステップＳ４０９に進み、記録媒体を給紙口２から給紙する。そして、記録手段１１０により、画像データに基づいて画像を給紙媒体に記録出力する（ステップＳ４１０）。
【図面の簡単な説明】
【００３１】
【図１】本発明に係わる記録装置におけるハードブロック図である。
【図２】本発明に係わる記録装置における画像データ送信元機器種別−給紙口対応情報の一例である。
【図３】本発明に係わる記録装置におけるフローチャートその１である。
【図４】本発明に係わる記録装置におけるフローチャートその２である。
【符号の説明】
【００３２】
１００  ＣＰＵ
１０１  ファクシミリ通信手段
１０２  ＰＣインターフェース手段
１０３  デジタルカメラインターフェース手段
１０４  ＲＯＭ
１０５  ＲＡＭ
１０６  操作手段
１０７  表示手段
１０８  給紙口１
１０９  給紙口２
１１０  記録手段
１１１  バス
【図１】
2006137017.tif 000003
【図２】
2006137017.tif 000004
【図３】
2006137017.tif 000005
【図４】
2006137017.tif 000006